(57)【要約】【課題】従来表記しようとする物として色の変化を表現する印刷物が有るが印刷面が擦れ消滅してしまうため凹凸を付け立体的変化により摩擦による消滅を減少させたりしていた。【解決手段】任意に表現したい表記内で余白を含む全体の配色に対して、各色の面を基準にその面の色による物質で、その面を平行に延長した側面と表裏一体の両面を持つ立方体による立方物を製造し、その表面が平面上に配色されるよう側面どうしを接着合体し表面に沿って平行に切断する事により消えない表記物が生産される事を特徴とする。【選択図】  図２
2004216846.tif 000002
【特許請求の範囲】
【請求項１】
模様、絵、文字及び余白を含む各々の単色で表現される面に対してその色毎の物質により一定方向に向け平行に延長し、延長されて出来た立方体の表記面どうしを表現される色の配置に合わせ固着し任意の表記を実現させる面で切断して同じ表記をする物を得る表記物の生産方法。
【請求項２】
立方合体物は隙間なく順次組合わせ可能な任意の特定の面を持つ立方形状であることを特徴とする請求項１記載の表記物の生産方法。
【請求項３】
複数の立方合体物の中に異なる物質より成る立方物を含ませたことを特徴とする請求項１及び２記載の表記物の生産方法。
【請求項４】
固定接着できるプラスチックによる立方合体物であることを特徴とする請求項１及び２記載の表記物の生産方法。
【発明の詳細な説明】
【０００１】
【発明の属する技術分野】
プラスチック、金属、鋳型、金型、印刷、デザイン、装飾品に関するものである。
【０００２】
【従来の技術】
活版印刷・オフセット印刷・グラビア印刷・特殊印刷法でインク等を使い、版面に描き出されている文字・絵画・模様などを、合成樹皮、紙その他の被印刷体の表面に刷り出し量産表記していた。
寄木細工などは任意の模様になるよう平行に切断された木材を任意の面に揃え表記模様に組込み接着し鉋等で削り表記物を生産していた。
【０００３】
【発明が解決しようとする課題】
印刷によるインク、顔料等の厚さにより摩擦頻度の多い物は擦れて色が薄れたり表記模様が消えてしまい長期使用には使用感が発生し古く感じたり、消えてしまい不向きである。
寄木細工などでは木材じたいに木目模様が有り、削りだされた一枚毎に木目の模様が違うので同じ表記の生産が出来ない。
【０００４】
【課題を解決するための手段】
（イ）  どちらか一方を反転すると同じ形の面を持つ表裏一体の形で、表面から裏面までが平行に延長されて出来た面を側面とした立方体により構成された立方物（１）なる部位により集成される。
（ロ）  表現したい模様内の面上で余白及び空白部分も一つの色として認識し構成されている色の一つ一つに各々の単色により成る面の形を表面とし、その色と同色の物質により各色毎に立方物（１）を製造する。
（ハ）  各立方物（１）の側面を表現したい模様面の配色に成るように各部位の側面同士が密着し表面が平面上で配色に合うよう組込み、合体接着させた立方物（１）の集成による立方合体物（３）を組み上げる。
（ニ）  組込まれた立方合体物（３）を表記したい面になるよう表面又は裏面に沿って平行に切断を繰り返すことにより出来る表記物（９）の生産方法。
【０００５】
【発明の実施の形態】
図１は任意により表記しようとするカタカナの「イ」の文字で、文字を表現した黒い色の文字部と、空白になる余白部分による白い色との配色により構成された表記に対し、黒色により成る文字「イ」と同じ形の面を表面としその面に対して垂直になるよう平行に延長されて出来た立方物（１ａ）と、白色により文字「イ」により区別されて出来た余白部分と同じ形の面を表面としその面に対して垂直になるよう平行に延長されて出来た立方物（１ｂ）とにより成る物質で、各々の立方物（１）の側面に接着剤を塗り表記したい面を平面上に揃えるため各々の表面又は裏面を図１の点線により表示されているように点線に沿って側面同士が密着するよう挿入し接着剤により固着合体させ立方合体物（３）を製作する。
【０００６】
図２は図１により制作された立方合体物（３）を任意により表現しようとする模様と同じ形の表記に成るよう平行に任意の厚さで切断を繰り返すことで生産された表記物（９）である。
【０００７】
図３はベース（４）上に押印面が垂直に延長された立方体形状を持つ立方物（１ａ）で台座（５）に固定されているカタカナの「イ」のゴム印（２）で、ゴム印（２）の押印面が底に接触する底面を持ち、ベース（４）の外枠の面を覆う四つの同じ高さを持つ側面により出来た形箱（６）により形箱（６）の内側に剥離剤を塗り、ゴム印（２）を形箱（６）に挿入して出来る空間部分に相当する量の白いゴム製の接着剤を形箱（６）に流し込みゴム印（２）の押印面が形箱（６）の底面に接触するようゴム印（２）を挿入し、ゴム製の接着剤が乾燥して出来た立方物（１ｂ）の分解斜視図でゴム印（２）と立方物（１ｂ）の固着により立方合体物（３）が出来る。
【０００８】
図４に示すようにゴム製の接着剤が乾燥して出来た立方物（１ｂ）と、それに固着された立方物（１ａ）により成る立方合体物（３）の立方物（１ａ）の押印面に沿って任意の厚さにより平行に切断し裏返すと表現しようとする同じ物の表記物が本発明により生産できる。
【０００９】
図５は平面上で隙間無く組み合わせ出来る正六角形の面を基準に、マゼンタ、イエロー、シアンによる色の三原色の法則によることの目の錯覚により黒く見えるよう色配分した立方物（１）部位により構成された表記部と余白にあたる白い部分を表現する立方物（１）部位により構成された表記部から成る立方合体物（３）の一部拡大斜視図で各々は六角の面を垂直に延長して出来たマゼンタ色の六角立方物（７Ｍ）、イエロー色の六角立方物（７Ｙ）、シアン色の六角立方物（７Ｃ）、白色の六角立方物（７Ｗ）による色の物質で出来ており、平面上にカタカナで黒い色の「イ」と白い色の余白部分を表現できるよう配色されていて表記面に沿って平行に任意の厚さで切断する事により生産できる本発明である。
【００１０】
０００９の六角立方物（７）に換え四角面を持つマゼンタ色の四角立方物（８Ｍ）、イエロー色の四角立方物（８Ｙ）、シアン色の四角立方物（８Ｃ）、白色の四角立方物（８Ｗ）を使用して行い生産できる本発明である。
【００１１】
押印面を直角方向に延長した立方体部分を持つ模様、絵、文字等の印を押すスタンプの溝又は空白部分に任意の色の物を埋め込みスタンプ面に沿って切断すれば生産できる本発明である。
【００１２】
糸鋸等による平行切断、押出し成型、噴出成型、プレス成型等の口金、金形等により任意による表面を持つ形状の立方物（１）を作り０００４の（ハ）（ニ）を行うことで生産できる本発明である。
【００１３】
活字印刷等に使用される余白を含めた一文字分の印字面の空間を覆うスペースをもつ形箱（６）の枠を設けその中に余白になる色に着色されたビニールの材料を熱し液状にして流し込んでおき、押出し成型の口金を任意の文字形状にして余白部の色とは違う任意の色に着色されたビニールの材料で余白を含む表記の配置に成るよう押出し成型しながら枠の中に落とし、固まったところで枠から取り出す。
上記方法により必要な文字表記部の立方物（１）を多種類製造し文書が表記できるよう平面上に表面を合わせ配置し集成接着した立方合体物（３）を文書が表記できる面に沿って切断することにより本発明が出来る。
【００１４】
単色による立方物（１）は製造等の過程において任意により分割することが可能であり単色を分割して単色による単位の立方物（１）を複数製造でき、物の着色方法と色の選別を規制するものではなく、接着は接着剤、溶かして接着、圧着、真空接着等が有り切断は裁断、輪切り、削る等色々な方法等が有りその方法を特定するものではない。
【００１５】
立方物（１ａ）と立方物（１ｂ）の延長による立体は同じ方向で延長され、延長角度を規制するものではなく、図１の立方物（１ａ）が黒いゴムで立方物（１ｂ）が白いプラスチックによる立方合体物（３）であったり固定接着できる物質であれば色の違う金属同士を使用することも可能で、立方合体物（３）は同類同種のみと制限するものではないし、図５の六角立方物（７）と図６の四角立方物（８）での使用する色は黒を使ったり他の色を使うのを禁止するものではなく、表記物（９）の裏面に布を貼る等の補強又は装飾、表面に加工するとか印刷等をほどこす事を禁止するものではなく、０００４の（ロ）の空白分も一つの色として認識するの記載は任意に表現したい表記部に空白が必要ならば空白にして任意による集成ができ、立方物（１）は立方体の部分を有する物であり立方物（１）の製造過程、立方合体物（３）の集成等を制限するものではないし、図３の立方合体物（３）を活版印刷のように活字として組み合わせて文書の表記物として生産も出来る。
【００１６】
【発明の効果】
表記が消滅しないので社名、型番、製品名、マーク、注意書、説明書等重要又は必要なメッセージ等を本発明により製造して製品の一部又は全部において使用すればその物じたいが消滅するまで無くなったり、剥がれたり、消えたりしないで表記し続ける。
【００１７】
プラスチック、ビニール類等で鞄、靴、財布、シート、ソファー等のビニールシートの製造を本発明の集成過程で形抜き、裁断の変わりに立方合体物（３）の集成時に任意で外枠の形を決める事により形抜き、裁断した物と同型の表記物（９）を生産出来るし、壁などの外壁材、壁紙等、床に置くマット、タイル等を本発明の表記物により制作することにより色の三原色の法則により人の顔等の表記が簡単に出来るため様々なデザインにより表記できて材質が丈夫な素材を使用すれば水で洗ったり擦ったりしても消えないので掃除が出来る。
【００１８】
プラスチック製品による表記物はプラスチック面が硬いため表記が摩擦により消える事無く製品が無くなるまで重要なメッセージを表記し続ける。
【００１９】
印刷物のように簡単に複製出来ないのでコピー品製造の可能性が少なくなる。
【００２０】
消えない模様による表記物が出来る。
【００２１】
異なる素材よりなる立体物を組み合わせた事例においては、単純な色彩の違いのみならず、素材の持つ見た目の違い、触った時の触感の違いを生み出すことで、より多様な表現を実現する。
【図面の簡単な説明】
【図１】立方物（１ａ）を立方物（１ｂ）へ挿入合体を説明する斜視図
【図２】立方合体物（３）がスライスされて複数の表記物（９）が生産された斜視図
【図３】ゴム印（２）を利用した事例の分解斜視図
【図４】ゴム印（２）応用による立方合体物（３）がスライスされて複数の表記物（９）が生産された斜視図
【図５】六角立方物（７）から成る立方合体物（３）の一部拡大斜視図
【図６】四角立方物（８）から成る立方合体物（３）の一部拡大斜視図
【符号の説明】
１；１ａ；１ｂ  立方物
２  ゴム印
３  立方合体物
４  ベース
５  台座
６  形箱
７；７Ｗ；７Ｍ；７Ｙ；７Ｃ  六角立方物
８；８Ｗ；８Ｍ；８Ｙ；８Ｃ  四角立方物
９  表記物
【図１】
2004216846.tif 000003
【図２】
2004216846.tif 000004
【図３】
2004216846.tif 000005
【図４】
2004216846.tif 000006
【図５】
2004216846.tif 000007
【図６】
2004216846.tif 000008